(57)【要約】  液体クロマトグラフィー用途に使用されるポンプは、液体を加圧し移動させるためのアクチュエータを使用する。アクチュエータは、チャンバを有するポンプヘッドと、パッキン押えと、ポンプヘッドのチャンバの中にパッキン押えを通して延在する移動可能なロッドと、チャンバからの流体漏れに対してシールするためにロッドの周りのパッキン押えに配置されるプランジャシールとを含む。プランジャシールは、パッキン押えに対してＯＤ（外径）シールを形成する環状フランジを有する。フランジはシールキャビティを画定する。ポンプヘッドは、出口ポートおよび出口チャネルをさらに含む。出口チャネルの一方の端部は、出口ポートと連通しており、出口チャネルの他方の端部は、プランジャシールのシールキャビティの中に開口する。出口チャネルは、ロッドの移動に応じて出口ポートに向かって移動するチャンバ内の液体のための流路を形成する。
2014508940.tif 000002
【特許請求の範囲】
【請求項１】
チャンバを有するポンプヘッドと、
パッキン押えと、
ポンプヘッドのチャンバの中にパッキン押えを通して延在する移動可能なロッドと、
チャンバからの流体漏れに対してシールするためにロッドの周りのパッキン押えに配置されるプランジャシールであり、パッキン押えに対してＯＤ（外径）シールを形成する環状フランジを有し、フランジがシールキャビティを画定し、ポンプヘッドが出口ポートおよび出口チャネルをさらに含み、出口チャネルの一方の端部が出口ポートと連通しており、出口チャネルの他方の端部がプランジャシールのシールキャビティの中に開口し、出口チャネルが、ロッドの移動に応じて出口ポートに向かって移動するチャンバ内の液体のための流路を形成するプランジャシールと
を備える装置。
【請求項２】
出口チャネルが、液体内のガス気泡が離脱し得るシールキャビティの最高点に近いシールキャビティの中に開口する、請求項１に記載の装置。
【請求項３】
出口チャネルが、チャンバに対して実質的に平行に延在する、請求項１に記載の装置。
【請求項４】
出口チャネルが、出口ポートに対して実質的に直角に延在する、請求項１に記載の装置。
【請求項５】
ポンプヘッドに結合されるウォッシュハウジングがパッキン押えを備える、請求項１に記載のアクチュエータ。
【請求項６】
ポンプヘッドがパッキン押えを備える、請求項１に記載のアクチュエータ。
【請求項７】
チャンバの中のロッドの移動が往復動である、請求項１に記載のアクチュエータ。
【請求項８】
ポンプヘッドが、出口ポートからチャンバまで延在する二次出口チャネルをさらに備え、二次出口チャネルが、ロッドの移動に応じてチャンバから出口ポートまで移動する液体のための追加の流路を形成する、請求項１に記載のアクチュエータ。
【請求項９】
溶媒を圧送するように協働する複数のアクチュエータを備えるポンプであって、アクチュエータのうちの少なくとも１つが、
チャンバを有するポンプヘッドと、
パッキン押えと、
ポンプヘッドのチャンバの中にパッキン押えを通して延在する移動可能なロッドと、
チャンバからの流体漏れに対してシールするためにロッドの周りのパッキン押えに配置されるプランジャシールであり、パッキン押えに対してＯＤ（外径）シールを形成する環状フランジを有し、フランジがシールキャビティを画定し、ポンプヘッドが出口ポートおよび出口チャネルをさらに含み、出口チャネルの一方の端部が出口ポートと連通しており、出口チャネルの他方の端部がプランジャシールのシールキャビティの中に開口し、出口チャネルが、ロッドの移動に応じて出口ポートに向かって移動するチャンバ内の液体のための流路を形成するプランジャシールと
を備えるポンプ。
【請求項１０】
出口チャネルが、液体内のガス気泡が離脱し得るシールキャビティの最高点に近いシールキャビティの中に開口する、請求項９に記載のポンプ。
【請求項１１】
出口チャネルが、チャンバに対して実質的に平行に延在する、請求項９に記載のポンプ。
【請求項１２】
出口チャネルが、出口ポートに対して実質的に直角に延在する、請求項９に記載のポンプ。
【請求項１３】
ウォッシュハウジングがパッキン押えを備える、請求項９に記載のポンプ。
【請求項１４】
ポンプヘッドがパッキン押えを備える、請求項９に記載のポンプ。
【請求項１５】
チャンバの中のロッドの移動が往復運動である、請求項９に記載のポンプ。
【請求項１６】
ポンプヘッドが、出口ポートからチャンバまで延在する二次出口チャネルをさらに備え、導管が、ロッドの移動に応じてチャンバから出口ポートまで移動する液体のための追加の流路を形成する、請求項９に記載のポンプ。
【請求項１７】
溶媒を圧送するように協働する複数のアクチュエータを有するポンプを備える液体クロマトグラフィーシステムであって、アクチュエータのうちの少なくとも１つが、
チャンバを有するポンプヘッドと、
パッキン押えと、
ポンプヘッドのチャンバの中にパッキン押えを通して延在する移動可能なロッドと、
チャンバからの流体漏れに対してシールするためにロッドの周りのパッキン押えに配置されるプランジャシールであり、パッキン押えに対してＯＤ（外径）シールを形成する環状フランジを有し、フランジがシールキャビティを画定し、ポンプヘッドが出口ポートおよび出口チャネルをさらに含み、出口チャネルの一方の端部が出口ポートと連通しており、出口チャネルの他方の端部がプランジャシールのシールキャビティの中に開口し、出口チャネルが、ロッドの移動に応じて出口ポートに向かって移動するチャンバ内の液体のための流路を形成するプランジャシールと
を備える液体クロマトグラフィーシステム。
【請求項１８】
出口チャネルが、液体内のガス気泡が離脱し得るシールキャビティの最高点に近いシールキャビティの中に開口する、請求項１７に記載の液体クロマトグラフィーシステム。
【請求項１９】
出口チャネルが、チャンバに対して実質的に平行に延在する、請求項１７に記載の液体クロマトグラフィーシステム。
【請求項２０】
出口チャネルが、出口ポートに対して実質的に直角に延在する、請求項１７に記載の液体クロマトグラフィーシステム。
【請求項２１】
ウォッシュハウジングがパッキン押えを備える、請求項１７に記載の液体クロマトグラフィーシステム。
【請求項２２】
ポンプヘッドがパッキン押えを備える、請求項１７に記載の液体クロマトグラフィーシステム。
【請求項２３】
チャンバの中のロッドの移動が往復運動である、請求項１７に記載の液体クロマトグラフィーシステム。
【請求項２４】
ポンプヘッドが、出口ポートからチャンバまで延在する二次出口チャネルをさらに備え、導管が、ロッドの移動に応じてチャンバから出口ポートまで移動する液体のための追加の流路を形成する、請求項１７に記載の液体クロマトグラフィーシステム。
【発明の詳細な説明】
【技術分野】
【０００１】
本出願は、「Ｓｅａｌ  Ａｓｓｅｍｂｌｉｅｓ  ｆｏｒ  Ｒｅｃｉｐｒｏｃａｔｉｎｇ  ａｎｄ  Ｒｏｔａｒｙ  Ａｐｐｌｉｃａｔｉｏｎｓ」という表題の２０１１年３月１０日に出願された同時係属中の米国仮特許出願第６１／４５１，２２９号明細書、および「Ｐｕｍｐ  Ｈｅａｄ  Ｏｕｔｌｅｔ  Ｐｏｒｔ」という表題の２０１１年４月２５日に出願された同時係属中の米国仮特許出願第６１／４７８，７０５号明細書の利益および優先権を主張するものである。
【０００２】
本発明は、一般に、クロマトグラフィーシステムに使用されるポンプに関する。より詳細には、本発明は、ポンプアクチュエータの流体出口または出口ポートに関する。
【背景技術】
【０００３】
液体クロマトグラフィーは、ポンピングシステムが溶媒を受け入れ、サンプルマネージャーに高い圧力で液体溶媒組成物を吐出する適用分野の例であり、サンプルは、混合物の中への注入を待つ。従来、高性能液体クロマトグラフィー（ＨＰＬＣ）は、およそ１０００ｐｓｉと６０００ｐｓｉとの間で変化する圧力を用いる。超高性能液体クロマトグラフィー（ＵＰＬＣ）を実施するための圧力は、１５０００ｐｓｉから２００００ｐｓｉに達し得る。ポンピングシステムは、形状構成が変化する場合があり、通常、２つ以上のアクチュエータを用い、直列または並列で協働するように構成される。
【０００４】
液体クロマトグラフィーの実施中に、クロマトグラフィー性能に重要な要素は、アクチュエータ内のスィープされていない容積が最小であることである。スィープされていない容積は、好ましくは、所与のピストンストローク中に吐出されないままでいる溶媒のその部分または容積であると考えられる。多くの従来のポンプでは、アクチュエータの出口ポートは、ピストンチャンバと交差する。このチャンバと流体連通しているが、通常ピストンストロークによってかき乱されていないアクチュエータ内の任意のキャビティは、スィープされていない容積の領域になり得る。このスィープされていない容積は、ポンプの効率を低下させ、クロマトグラフィー結果を低下させ得る。また、これは、ポンプヘッドのプライミングを妨げる場合がある。さらに、物理的に出口よりも高いところにある任意のキャビティは、気泡トラップになり得る。また、スィープされていない気泡トラップは、クロマトグラフィー性能に問題を提起し得る。
【発明の概要】
【課題を解決するための手段】
【０００５】
本発明の態様は、液体クロマトグラフィーシステム、ポンプ、および、チャンバを有するポンプヘッドと、パッキン押えと、ポンプヘッドのチャンバの中にパッキン押えを通して延在する移動可能なロッドと、チャンバからの流体漏れに対してシールするためにロッドの周りのパッキン押えに配置されるプランジャシールとを備えるアクチュエータ、を特徴とする。プランジャシールは、パッキン押えに対してＯＤ（外径）シールを形成する環状フランジを有する。フランジはシールキャビティを画定する。ポンプヘッドは、出口ポートおよび出口チャネルをさらに含む。出口チャネルの一方の端部は、出口ポートと連通しており、出口チャネルの他方の端部は、プランジャシールのシールキャビティの中に開口する。出口チャネルは、ロッドの移動に応じて出口ポートに向かって移動するチャンバ内の液体のための流路を形成する。
【０００６】
本発明の上記およびさらなる利点は、添付の図面と共に次の説明を参照することによってよりよく理解されることができ、ここに、同じ符号は、さまざまな図での同じ構造要素および特徴を示している。図面は、縮尺通りに描くことになるとは限らず、それよりもむしろ、本発明の原理の説明に強調が置かれる。
【図面の簡単な説明】
【０００７】
【図１】液体クロマトグラフィー用途に使用されるポンプのアクチュエータの実施形態の断面概略図であり、アクチュエータが、ポンプヘッド、ウォッシュハウジング、およびシールアセンブリを備える図である。
【図２】ポンプヘッド、ウォッシュハウジング、およびシールアセンブリの領域でのアクチュエータの詳細断面図であり、ポンプヘッドが、出口ポートに通じる出口チャネルを有する図である。
【図３】ポンプヘッドの出口ポートに通じる出口チャネルの詳細図である。
【図４】ポンプヘッドを前方としウォッシュハウジングを後方とした、ポンプヘッド、ウォッシュハウジング、およびシールアセンブリの分解等角図である。
【図５】ポンプヘッド、ウォッシュハウジング、およびシールアセンブリの他の分解等角図であり、ウォッシュハウジングが前方にありポンプヘッドが後方にある図である。
【図６】図３に示される出口チャネルと同様な出口チャネルを有するポンプヘッドを備える流体アセンブリの他の実施形態である。
【発明を実施するための形態】
【０００８】
本明細書において説明されるポンプおよびアクチュエータは、一般に液体クロマトグラフィーで使用されるような、高圧往復動および回転用途で用いられ得る。いくつかの実施形態では、ポンプおよびアクチュエータは、ウォッシュハウジングに結合されるポンプヘッドを有する流体アセンブリと、ポンプヘッドまたはウォッシュハウジングのどちらかのパッキン押えと、パッキン押え内に配置される高圧シールアセンブリとを含む。ポンプヘッドは、入口ポートおよび出口ポートを有し、各ポートは、チャンバと流体連通している。チャンバ内のプランジャの移動は、入力ポートを通してチャンバの中に液体を吸い込み、出力ポートを通してチャンバの中から液体を圧送する。
【０００９】
入力ポートは、一方の端部でチャンバと交差するが、チャンバから出口ポートへの流路は、シールキャビティを横切る。シールキャビティは、チャンバの他方の端部に配置されかつチャンバに面するプランジャシールの開放領域である。シールキャビティから、流路は、出口ポートに接続する出口チャネルを通過する。出口チャネルは、ポンプヘッドを通して延在し、シールアセンブリおよびパッキン押えからのガス気泡および粒子のパージを容易にするように戦略的に配置された場所においてパッキン押えの中に開口する。位置は、ガス気泡が離脱し得るシールキャビティの比較的高い点に戦略的に配置される。さらに、位置は、入口ポートがチャンバの遠端部と交差するその場所から物理的にできるだけ遠くに離れてほぼ位置している出口チャネルを有し、したがって、液体がポンプヘッドから流れ出る場合にチャンバ長さの完全なスイープをほぼ確実にする。チャンバと交差する出口ポートを有する従来のアクチュエータに比して、出口チャネル位置に由来する利点により、スィープされていない容積がより少なくなり、求められていない気泡および粒子のパージが改善され、ポンプのプライミングが改善される。
【００１０】
アクチュエータに関して本明細書において説明したが、本発明の原理は、ポンプヘッド、たとえばギアポンプ駆動、並列ポンプ、直列ポンプを備える任意のタイプのポンプに及ぶ。
【００１１】
図１は、流体アセンブリ１４に接続される主アクチュエータ本体１２を有するアクチュエータ１０の実施形態を示している。主アクチュエータ本体１２は、アクチュエータハウジング１５と、モータ１６と、プランジャ２０に機械的に結合される駆動機構１８とを含む。往復動プランジャと関連して説明されているが、本明細書において説明される流体出口機構は、また、ステータに取り付けられたロータを回転させ逆転させるシャフトなどの、回転シャフトを有するアクチュエータでも使用され得る。用語「ロッド（ｒｏｄ）」は、往復動であれ回転であれ、プランジャ、シャフト、ロッド、およびピストンを広く包含するように本明細書において使用される。支持プレート２２が、アクチュエータ本体１２に取り付けられる。
【００１２】
流体アセンブリ１４は、ポンプヘッド２４およびウォッシュハウジング２６を含み、主アクチュエータ本体１２と対向する支持プレート２２の他方側に取り付けられる。また、ポンプヘッド２４は、ウォッシュハウジング２６を受け入れ位置合わせするように適応する一方の端部に凹部２８を有する。圧力変換器３０が、ポンプヘッド２４の他方の端部に取り付けられ、これにより、アクチュエータ１０の作動を通してポンプヘッド２４の内圧を監視することができる。
【００１３】
ポンプヘッド２４は、チャンバ３２、ポンプヘッド当接面３６、プランジャシール３８、およびウォッシュシール４０を含む。プランジャ２０は、支持プレート２２、ウォッシュシール４０、ウォッシュハウジング２６、およびプランジャシール３８を通してポンプヘッド２４のチャンバ３２の中に延在する。ウォッシュハウジング２６は、液体を収集し、かつプランジャ表面に生じ得る任意の微粒子からプランジャ２０を洗浄するようにコンパートメント３７（図３）を形成する。プランジャシール３８およびウォッシュシール４０は、それらの適切な方面内に液体を収容する働きをし、プランジャシール３８は、ウォッシュハウジング２６とポンプヘッド２４の他の所望されていない領域との中に漏出しないように液体を２００００ｐｓｉまで加圧しておき、ウォッシュシール４０は、洗浄液をコンパートメント３７の中に保持する。アクチュエータのこの実施形態では、プランジャシール３８は、ウォッシュハウジング２６のパッキン押え４２内に存する。本明細書において説明されるウォッシュハウジング２６および支持プレート２２は、流体アセンブリ１４にプランジャシール３８を保持する手段の例である。あるいは、たとえばバネおよびファスナーなどの保持手段の他の実施形態が用いられる場合がある。
【００１４】
ポンプヘッド２４は、それぞれ、それを通して液体を受け入れ吐出する入口ポート５０および出口ポート５２をさらに含む。入口ポートは、チャンバの遠位端でチャンバ３２を接合するが、出口ポートは、プランジャシール３８のシールキャビティを通してチャンバの他の端部と流体連通している。
【００１５】
１つの実施形態では、アクチュエータ１０は、液体クロマトグラフィーシステムの下流構成要素に加圧された溶媒組成物を吐出するように協働する二成分溶媒マネージャー（ＢＳＭ）ポンプの２つの独立に制御可能なアクチュエータのうちの１つである。一次アクチュエータおよび蓄圧アクチュエータと呼ばれる２つのアクチュエータは、直列に構成される。一次アクチュエータは、ポンプの低圧側にあり、溶媒リザーバからの液体吸込みは、ポンプサイクル中に大気圧で生じる。液体吸込みは、チャンバ内の一次アクチュエータのプランジャのバックストロークに応じて生じる。チャンバ内のそのプランジャの前進ストロークに応じて、一次アクチュエータは、蓄圧アクチュエータおよびシステムに溶媒を加圧し、移送する。入口チェック弁（図示せず）を閉鎖すると、入口ポートからではなく、チャンバから出口ポートを通して加圧された液体の排除が確保される。蓄圧アクチュエータは、ポンプの高圧側にあり、一次アクチュエータによって行われる吸込みおよび移送動作の間中、システム圧力に溶媒を維持する。一次アクチュエータが液体を吸い込む間に、蓄圧アクチュエータはシステム圧力で溶媒を吐出し、一次アクチュエータが液体を移送する間に、蓄圧アクチュエータは、次の吐出サイクルの間、システム圧力で液体を吸い込み、収容する。ＢＳＭポンプの実施例には、Ｍｉｌｆｏｒｄ、ＭＡ（マサチューセッツ州、ミルフォード）のＷａｔｅｒｓ  Ｃｏｒｐ．（ウォーター株式会社）によって製造される、ＡＣＱＵＩＴＹ  ＵＰＬＣ  Ｂｉｎａｒｙ  Ｓｏｌｖｅｎｔ  Ｍａｎａｇｅｒ（ＡＣＱＵＩＴＹ  ＵＰＬＣ二成分溶媒マネージャー）がある。
【００１６】
図２は、ポンプヘッド２４およびウォッシュハウジング２６の近くの流体アセンブリ１４の拡大図を示している。ポンプヘッド２４は、入口ポート５０、出口ポート５２、および一次出口チャネル５４を含む。出口ポート５２は、管をぴったりと収容するように適応している。入口ポート５０は、遠位端と呼ばれる、チャンバ３２の一方の端部と連通している。出口ポート５２は、二次出口チャネル５８を通して一次出口チャネル５４と連通している。一次出口チャネル５４の他方の端部は、プランジャシール３８のシールキャビティ６０の中に開口する。
【００１７】
この実施形態では、出口ポート５２は、ポンプヘッド２４の頂部で開口している。頂部で開口するように示されているが、出口ポート５２は、これがプランジャシール３８のシールキャビティ６０と連通しているという条件で、ポンプヘッド２４の周囲のどこにでも開口することができる。出口ポート５２をシールキャビティ６０と連通させる一次出口チャネル５４は、シールキャビティ６０の頂部の近くに開口することが好ましい。シールキャビティの最高点の近くにあると、この位置は、圧送された液体内の任意のガス気泡が上昇し、集まると予想されることになるその場所の近くである。したがって、シールキャビティから一次出口チャネル５４の中に圧送される液体は、一次出口チャネル５４の口のところに集まっていることがある任意のガス気泡をそれと共に搬送する。
【００１８】
他の実施形態では、出口チャネル５４は、他の位置において（たとえば、チャンバ３２の軸線のそばに、僅かに上方に、僅かに下方に、または下方に）シールキャビティ６０に接続することができる。この種の実施形態は、頂部に出口チャネルを有する実施形態ほどは有効なパージガス気泡であり得ないが、それにもかかわらず、これらの他の実施形態は、出口ポートを直接チャンバと交差させるポンプヘッドと比べた場合、スィープされていない容積の量を減少させることができる。さらに、出口チャネル５４は、ポンプヘッド２４内で水平であることが好ましく、出口チャネル５４の機械加工を容易にする向きが重要な役割を演じる。それにもかかわらず、出口チャネル５４は、出口ポート５２（または二次出口チャネル５８）と一次出口チャネル５４との間の角度が９０°よりも大きく、下流が上流よりもより高い点にある（用語、下流および上流は、上流から下流に流れる、溶媒流れの方向に対して使用される）ように、たとえば、出口ポート５２に向かって上方へ傾斜する他の角度で機械加工され得る。さらに、出口ポート５２の位置に応じて、出口チャネル５４は、チャンバに平行に進む代わりに、チャンバ３２から離れて下向きにまたは横向きに角度を調整することができる。
【００１９】
図３は、図２の円６２内の領域に対応するポンプヘッド２４およびウォッシュハウジング２６の近くのアクチュエータ１０のさらなる拡大図を示している。出口チャネル５４の一方の端部は、出口ポート５２に通じる二次出口チャネル５８と交差する。機械加工を容易にするために、二次出口チャネル５８は、出口チャネル５４との交差の点を通り過ぎて、チャンバ３２の中に延在するように作られ得る。二次出口チャネル５８のこの延長した部分は、プラグ７２で埋められ、または埋められない場合がある。
【００２０】
出口チャネル５４の他方の端部は、液体内のガス気泡が上昇し得るシールキャビティ６０の最高点６４に近いシールキャビティ６０の中に開口する。最高点６４は、プランジャシール３８の外側フランジ６６がポンプヘッド２４の表面に対して環状の面シール６８を作り出すその場所と隣接する。
【００２１】
図３では、プランジャ２０は、その最も遠い後方位置の近くに現われている。チャンバ３２の中のプランジャ２０の内側の移動は、チャンバ３２からプランジャ２０の周りのクリアランス７０を通してシールキャビティ６０の中に、シールキャビティ６０から一次出口チャネル５４の中に、およびポンプヘッド２４からの一次出口チャネル５４から出口ポート５２を通して液体を押すように作用する。（クリアランス７０の量は、一次出口チャネル５４までの流路を示すように明瞭さの目的で誇張されている）。加圧された液体は、この最高点６４に集まることもある任意のガス気泡を押し込むことが有利である。さらに、出口チャネルの位置は、従来のポンプヘッドに比べてスィープされていない容積の量を減少させる。従来、ポンプヘッドの出口ポートは、通常その最も遠い後退点においてプランジャの先端の近くでチャンバと交差し、シールキャビティの容積および後退したプランジャの周りのクリアランスは、この従来のポンプ内のスィープされていない容積を含んでいた。本明細書において説明されるアクチュエータ１０では、ピストンストローク中にスイープされるチャンバの長さを増加させることに加えて、一次出口チャネル５４の位置により、従来の形状構成の場合よりもピストンストローク後にシールキャビティのスィープされていない容積残余がより少ないことを確保するようにシールキャビティを通る流路が作り出される。二次出口チャネル５８が塞がれない（すなわち、いかなるプラグ７２もない）場合には、二次出口チャネル５８は、一次出口チャネル５４によって形成される流路に加えて、出口ポート５２に向かって移動する加圧された液体のための第２の流路を形成する。
【００２２】
図４は、ポンプヘッド２４、ウォッシュハウジング２６、およびプランジャシール３８の分解等角図を示している。ポンプヘッド２６が前方にあり、ウォッシュハウジング２６が後方にある。ポンプヘッド２４およびウォッシュハウジング２６は、形状が概ね円筒形である。ウォッシュハウジング２６のこの図は、プランジャシール３８をぴったりと収容するように適応するパッキン押え４２を示し、プランジャシール３８の孔７６は、ウォッシュハウジング２６の孔開口７８と一列をなす。また、図は、プランジャシール３８の環状の外側フランジ６６を示しており、これは、シールアセンブリ孔７６の方へ狭くなるシールキャビティ６０を取り囲む。
【００２３】
図５は、後方にポンプヘッド２４、前方にウォッシュハウジング２６、およびそれらの間に配置されたプランジャシール３８という、図４に示される視点と逆の視点から見た他の分解等角図を示している。この図は、ポンプヘッド２４の凹部２８を示しており、これは、ウォッシュハウジング２６を収容する。また、図は、ポンプヘッド２４のチャンバ３２の開口および一次出口チャネル５４（図３）の開口を囲むポンプヘッド当接面３６を示している。一次出口チャネル５４のこの開口は、チャンバ３２の開口に隣接する。プランジャシール３８、特に面シール表面６８（図４）は、ポンプヘッド当接面３６と接触する。
【００２４】
図６は、ポンプヘッド２４’、ウォッシュハウジング２６’、およびプランジャシール３８’を含む流体アセンブリ１４’の領域の他の実施形態である。（参照符号の後のプライム符号（’）は、以前に説明され、対応する参照符号と関連する構造特徴の異なる実施形態を表わしている）。この実施形態は、本明細書において説明される原理が、さまざまな高圧シールおよびそれらを保持するための異なって形成されるパッキン押えを使用するアクチュエータで実施され得るということを立証している。この実施形態では、プランジャシール３８’は、ポンプヘッド２４’内のパッキン押えに配置される。プランジャシール３８’の外側フランジ６６’は、パッキン押え面に対して外径（ＯＤ）シールを形成する。ポンプヘッド２４’は、二次出口チャネル５８’を通して一次出口チャネル５４’と連通する出口ポート５２’をさらに含む。一次出口チャネル５４’は、ポンプヘッド２４’のパッキン押えの中に、より詳細にはプランジャシール３８’のシールキャビティ６０’の中に開口し、このプランジャシール３８’はパッキン押えに配置される。一次出口チャネル５４’は、液体内のガス気泡が上昇し得るシールキャビティ６０’内の最高点に近いシールキャビティ６０’の中に開口する。この最高点は、プランジャシール３８’の外側フランジ６６’の張り出しリップに隣接する、パッキン押えの上部コーナーの近くにある。
【００２５】
図６では、プランジャ２０’は、その最も遠い後退位置の近くに現われている。チャンバ３２’の中のプランジャ２０’の内側の移動は、チャンバ３２’からプランジャ２０’の周りのクリアランス７０’を通してシールキャビティ６０’の中に、シールキャビティ６０’から一次出口チャネル５４’の中に、およびポンプヘッド２４’からの一次出口チャネル５４’から出口ポート５２’を通して液体を押すように作用する。
【００２６】
特定の好ましい実施形態を参照して本発明を示し説明しているが、形態および詳細のさまざまな変更が次の特許請求の範囲によって規定されるように本発明の趣旨および範囲を逸脱することなく本明細書において行われ得ることが、当業者によって理解されるべきである。たとえば、主に高圧往復動用途に関して本明細書において説明したが、また、アクチュエータアセンブリのさまざまな実施形態が、低圧往復動および回転用途ならびに高圧回転用途に使用され得る。
【図１】
2014508940.tif 000003
【図２】
2014508940.tif 000004
【図３】
2014508940.tif 000005
【図４】
2014508940.tif 000006
【図５】
2014508940.tif 000007
【図６】
2014508940.tif 000008
【国際調査報告】
2014508940.tif 000009